(57)【要約】【課題】端子箱部と電線接続部との配置位置を保持することができる接続端子を提供する。【解決手段】平板状の板材を折り曲げて形成され相手端子に接続される端子箱部３と、この端子箱部３の端部に連続する一部材で形成され屈曲される屈曲部５と、この屈曲部５の端部に連続する一部材で形成され電線の端末部に接続される電線接続部７とを備えた接続端子１において、端子箱部３に、端子箱部３と連続する一部材で形成され、屈曲された屈曲部５と当接して屈曲部５の屈曲状態を保持する補強部９を設けた。【選択図】図２
2017004841.tif 000002
【特許請求の範囲】
【請求項１】
平板状の板材を折り曲げて形成され相手端子に接続される端子箱部と、この端子箱部の端部に連続する一部材で形成され屈曲される屈曲部と、この屈曲部の端部に連続する一部材で形成され電線の端末部に接続される電線接続部とを備えた接続端子であって、
前記端子箱部には、前記端子箱部と連続する一部材で形成され、屈曲された前記屈曲部と当接して前記屈曲部の屈曲状態を保持する補強部が設けられていることを特徴とする接続端子。
【請求項２】
請求項１記載の接続端子であって、
前記電線接続部は、前記屈曲部を介して前記端子箱部の底壁部と連結されていることを特徴とする接続端子。
【請求項３】
請求項１又は２記載の接続端子であって、
前記電線接続部は、前記屈曲部を介して前記端子箱部側に向けて屈曲され、
前記屈曲部の屈曲方向の面は、前記端子箱部の端面に当接可能に配置され、
前記補強部は、前記屈曲部の屈曲方向と反対側の面に当接されることを特徴とする接続端子。
【請求項４】
請求項１乃至３のいずれか１項に記載の接続端子であって、
前記屈曲部は、展開した状態で、前記端子箱部と前記電線接続部とを直線的に連結することを特徴とする接続端子。
【発明の詳細な説明】
【技術分野】
【０００１】
本発明は、接続端子に関する。詳細には、相手端子に接続される端子箱部と電線に接続される電線接続部とが屈曲部で屈曲される接続端子に関する。
【背景技術】
【０００２】
従来、接続端子としては、平板状の板材を折り曲げて形成され相手端子に接続される端子箱部としての端子挿嵌部と、この端子挿嵌部の端部に連続する一部材で形成され屈曲される屈曲部としての連結部と、この連結部の端部に連続する一部材で形成され電線の端末部に接続される電線接続部とを備えたものが知られている（例えば、特許文献１参照）。
【０００３】
この接続端子では、連結部をほぼ直角に屈曲させることにより、端子挿嵌部と電線接続部とがほぼ平行に配置された状態となる。
【０００４】
このような連結部の屈曲方向を変更することにより、相手端子との嵌合スペースや電線の配索スペースなどの配置レイアウトに合わせて、端子挿嵌部と電線接続部との配置位置を変更することができる。
【先行技術文献】
【特許文献】
【０００５】
【特許文献１】特開２０１１−２４３５８１号公報
【発明の概要】
【発明が解決しようとする課題】
【０００６】
しかしながら、上記特許文献１のような接続端子では、屈曲部の屈曲された状態を保持するのが平板状の板材の強度のみであるので、端子箱部や電線接続部などに加わる外力によって屈曲部がさらに屈曲され易く、端子箱部と電線接続部との配置位置を保持することができない恐れがあった。
【０００７】
そこで、この発明は、端子箱部と電線接続部との配置位置を保持することができる接続端子の提供を目的としている。
【課題を解決するための手段】
【０００８】
請求項１記載の発明は、平板状の板材を折り曲げて形成され相手端子に接続される端子箱部と、この端子箱部の端部に連続する一部材で形成され屈曲される屈曲部と、この屈曲部の端部に連続する一部材で形成され電線の端末部に接続される電線接続部とを備えた接続端子であって、前記端子箱部には、前記端子箱部と連続する一部材で形成され、屈曲された前記屈曲部と当接して前記屈曲部の屈曲状態を保持する補強部が設けられていることを特徴とする。
【０００９】
この接続端子では、端子箱部に、屈曲された屈曲部と当接して屈曲部の屈曲状態を保持する補強部が設けられているので、補強部によって屈曲部の屈曲状態を保持することができ、端子箱部と電線接続部との配置位置を保持することができる。
【００１０】
また、屈曲部は、屈曲状態を補強部によって保持されるので、屈曲部の板厚や幅などを低下することができ、接続端子を小型化することができる。
【００１１】
さらに、補強部は、端子箱部と連続する一部材で形成されているので、屈曲部の屈曲状態を保持するために、部品点数が増加することがない。
【００１２】
請求項２記載の発明は、請求項１記載の接続端子であって、前記電線接続部は、前記屈曲部を介して前記端子箱部の底壁部と連結されていることを特徴とする。
【００１３】
この接続端子では、電線接続部が、屈曲部を介して端子箱部の底壁部と連結されているので、端子箱部の両側壁部のいずれか一方に屈曲部を介して連結されている場合に比較して、構造を簡易化することができ、複雑な加工を施す必要がない。
【００１４】
請求項３記載の発明は、請求項１又は２記載の接続端子であって、前記電線接続部は、前記屈曲部を介して前記端子箱部側に向けて屈曲され、前記屈曲部の屈曲方向の面は、前記端子箱部の端面に当接可能に配置され、前記補強部は、前記屈曲部の屈曲方向と反対側の面に当接されることを特徴とする。
【００１５】
この接続端子では、屈曲部の屈曲方向の面が、端子箱部の端面に当接可能に配置されているので、屈曲部が屈曲方向にさらに屈曲しようとしても、屈曲部の屈曲方向の面が端子箱部の端面と当接することにより、屈曲部の屈曲を規制することができる。
【００１６】
一方、補強部は、屈曲部の屈曲方向と反対側の面に当接されるので、屈曲部が屈曲方向と反対側に屈曲しようとしても、屈曲部の屈曲方向と反対側の面が補強部と当接することにより、屈曲部の屈曲を規制することができる。
【００１７】
また、補強部は、屈曲部の屈曲方向と反対側への屈曲を規制すればよいので、補強部を設ける箇所を削減することができ、接続端子の大型化を抑制することができる。
【００１８】
請求項４記載の発明は、請求項１乃至３のいずれか１項に記載の接続端子であって、前記屈曲部は、展開した状態で、前記端子箱部と前記電線接続部とを直線的に連結することを特徴とする。
【００１９】
この接続端子では、屈曲部が、展開した状態で、端子箱部と電線接続部とを直線的に連結するので、複数の展開された接続端子が連鎖などによって連結された場合の配置スペースを小型化することができる。
【発明の効果】
【００２０】
本発明によれば、端子箱部と電線接続部との配置位置を保持することができる接続端子を提供することができるという効果を奏する。
【図面の簡単な説明】
【００２１】
【図１】本発明の実施の形態に係る接続端子の斜視図である。
【図２】本発明の実施の形態に係る接続端子の側面図である。
【図３】本発明の実施の形態に係る接続端子の展開図である。
【図４】本発明の実施の形態に係る接続端子の他例を示す斜視図である。
【図５】本発明の実施の形態に係る接続端子の他例を示す下面図である。
【図６】本発明の実施の形態に係る接続端子の他例を示す展開図である。
【図７】接続端子の屈曲部が屈曲された状態で成形されたときの展開図である。
【発明を実施するための形態】
【００２２】
図１〜図７を用いて本発明の実施の形態に係る接続端子について説明する。
【００２３】
本実施の形態に係る接続端子１は、平板状の板材を折り曲げて形成され相手端子に接続される端子箱部３と、この端子箱部３の端部に連続する一部材で形成され屈曲される屈曲部５と、この屈曲部５の端部に連続する一部材で形成され電線の端末部に接続される電線接続部７とを備えている。
【００２４】
そして、端子箱部３には、端子箱部３と連続する一部材で形成され、屈曲された屈曲部５と当接して屈曲部５の屈曲状態を保持する補強部９が設けられている。
【００２５】
また、電線接続部７は、屈曲部５を介して端子箱部３の底壁部１１と連結されている。
【００２６】
さらに、電線接続部７は、屈曲部５を介して端子箱部３側に向けて屈曲され、屈曲部５の屈曲方向の面は、端子箱部３の端面に当接可能に配置され、補強部９は、屈曲部５の屈曲方向と反対側の面に当接される。
【００２７】
また、屈曲部５は、展開した状態で、端子箱部３と電線接続部７とを直線的に連結する。
【００２８】
ここで、本実施の形態に係る接続端子１は、不図示ではあるが、コネクタハウジングの端子収容室内に収容され、コネクタハウジングと相手端子を収容する相手コネクタハウジングとが嵌合することにより、接続端子１と相手端子とが電気的に接続される。
【００２９】
この接続端子１を収容するコネクタハウジングは、相手ハウジングと嵌合する嵌合部と、接続端子１に接続された電線の電線引出部とが、周辺の作業スペースなどの環境状況により、例えば、上壁面と側壁面とのように異なる位置に設けられている。
【００３０】
このため、接続端子１は、コネクタハウジングの嵌合部と電線引出部とに合わせて、屈曲部５で屈曲させて端子箱部３と電線接続部７とを配置させる必要がある。以下、図１〜図７を用いて、このようなコネクタハウジングに収容される接続端子１について説明する。
【００３１】
図３に示すように、接続端子１は、導電性材料からなる１枚の平板状の板材に対して、プレス加工や折り曲げ加工などを施すことによって得られる。
【００３２】
この接続端子１は、図１〜図３に示すように、端子箱部３と、屈曲部５と、電線接続部７と、補強部９とを備えている。
【００３３】
端子箱部３は、底壁部１１と、この底壁部１１の幅方向両側に位置する側壁部１３，１３と、側壁部１３，１３の幅方向の端部に位置する上壁部１５，１５とを、上壁部１５，１５を重ね合わせるように折り曲げることにより箱状に形成される。
【００３４】
この端子箱部３の底壁部１１の長さ方向の一端側には、端子箱部３の内部に向けて突出する接点部が設けられた接触部１７が連続する一部材で形成されている。
【００３５】
この接触部１７は、端子箱部３を折り曲げて形成させる際に、底壁部１１側に向けて弾性変形可能なように折り曲げられ、端子箱部３の内部に配置された接点部に対して付勢力を付与する。
【００３６】
このような端子箱部３は、接続端子１を雌型端子として構成し、接触部１７側の開口から相手端子（不図示）のタブ状の接続部が挿入され、タブ状の接続部と接触部１７の接点部とが接触することにより、接続端子１と相手端子とが電気的に接続される。
【００３７】
なお、端子箱部３の底壁部１１には、コネクタハウジング内に撓み可能に設けられた係止ランス（不図示）やコネクタハウジングに組付けられる二重係止部材（不図示）などに係合される係止部１９，１９が設けられている。
【００３８】
このような端子箱部３の底壁部１１の長さ方向の他端側には、屈曲部５が端子箱部３と連続する一部材で設けられている。
【００３９】
屈曲部５は、端子箱部３の底壁部１１と同じ幅を有するように、底壁部１１の端部から連続する一部材で直線状に延設され、端部に電線接続部７が連続する一部材で設けられている。
【００４０】
この屈曲部５は、電線接続部７が端子箱部３の上壁部１５側に位置するように屈曲され、端子箱部３と電線接続部７との位置が、それぞれコネクタハウジングの嵌合部と電線引出部との位置と合った状態を保持する。
【００４１】
電線接続部７は、電線（不図示）の絶縁被覆が剥がされた端末部に接続され、電線の絶縁被覆が剥がされて露出された導体部に加締めて圧着される一対の導体加締め部２１，２１と、電線の絶縁被覆が残された部分に加締められる一対の被覆加締め部２３，２３とを備えている。
【００４２】
この電線接続部７は、上下方向から挟み込む治具などによって、一対の導体加締め部２１，２１が電線の導体部に圧着されて接続端子１と電線とが電気的に接続されると共に、一対の被覆加締め部２３，２３が電線の絶縁被覆に加締められて接続端子１が電線に固定される。
【００４３】
ここで、展開された接続端子１は、複数の接続端子１が展開された方向（ここでは図３の上下方向）に並列に配置された状態で、電線接続部７側が連鎖（不図示）によって一体に連結された状態で搬送される。
【００４４】
このような複数の接続端子１が連鎖によって連結された状態で、例えば、図７に示すように、屈曲部５がほぼ直角に屈曲されて形成されていると、連鎖の連結方向（ここでは図７の左右方向）に対して展開された端子箱部３の配置スペースが大きくなり、連鎖の長さが長くなるなど、展開された複数の接続端子１の配置スペースが非常に大きくなってしまう。
【００４５】
これに対して、図３に示すように、展開された状態で屈曲部５を直線状に形成させることにより、連鎖の連結方向（ここでは図３の上下方向）に対して展開された端子箱部３の配置スペースを小さくすることができ、展開された複数の接続端子１の配置スペースを小さくすることができる。
【００４６】
このような連鎖によって連結された複数の接続端子１は、連鎖を切断することによって１つの接続端子１となり、展開された端子箱部３が折り曲げられて箱状に成形される。この端子箱部３には、補強部９が連続する一部材で形成されている。
【００４７】
図１〜図３に示すように、補強部９は、端子箱部３の側壁部１３と同じ幅を有するように、側壁部１３の端部から連続する一部材で直線状に延設されている。
【００４８】
この補強部９は、屈曲部が屈曲された状態で、屈曲部５の屈曲方向と反対側の面（端子箱部３と反対側の面）に当接されるように折り曲げられる。
【００４９】
このように補強部９を屈曲部５に当接させることにより、屈曲部５が屈曲方向と反対側、すなわち展開方向に移動しようとしても、補強部９によって移動することができず、屈曲部５の展開方向への変形を規制することができる。
【００５０】
一方、屈曲部５は、屈曲された状態で、屈曲方向の面（端子箱部３側の面）が端子箱部３の端面に当接可能に配置される。すなわち、ここでは、端子箱部３の端面が屈曲部５の屈曲状態を保持する補強部となっている。
【００５１】
このように屈曲部５の屈曲方向の面を端子箱部３の端面に当接可能に配置させることにより、屈曲部５が屈曲方向にさらに移動しようとしても、屈曲部５が端子箱部３の端面に当接して移動することができず、屈曲部５のさらなる屈曲方向への変形を規制することができる。
【００５２】
ここで、電線接続部７は、屈曲部５を介して端子箱部３の底壁部１１に連結されているが、図４〜図６に示すように、電線接続部７を屈曲部５を介して端子箱部３の側壁部１３に連結させてもよい。この場合には、補強部９を端子箱部３の上壁部１５、或いは底壁部１１に設ければよい。
【００５３】
ただし、電線接続部７を屈曲部５を介して端子箱部３の側壁部１３に連結させる場合には、連結される側壁部１３，１３によって屈曲部５の屈曲方向が２パターンあるため、展開された接続端子１を２種類用意しなければならず、加工が複雑となってしまう。
【００５４】
これに対して、電線接続部７が屈曲部５を介して端子箱部３の底壁部１１に連結されている場合には、屈曲部５の屈曲方向が１パターンであり、展開された接続端子１の種類も１種類ですみ、加工を簡易化することができる。
【００５５】
なお、接続端子１の成形方法としては、まず、端子箱部３を成形した後、電線接続部７に電線を接続させ、屈曲部５を屈曲させる、或いは、まず、端子箱部３を成形した後、屈曲部５を屈曲させ、電線接続部７に電線を接続させるなど、どのようなものであってもよく、成形の順序は適宜選択すればよい。
【００５６】
このような接続端子１では、端子箱部３に、屈曲された屈曲部５と当接して屈曲部５の屈曲状態を保持する補強部９が設けられているので、補強部９によって屈曲部５の屈曲状態を保持することができ、端子箱部３と電線接続部７との配置位置を保持することができる。
【００５７】
また、屈曲部５は、屈曲状態を補強部９によって保持されるので、屈曲部５の板厚や幅などを低下することができ、接続端子１を小型化することができる。
【００５８】
さらに、補強部９は、端子箱部３と連続する一部材で形成されているので、屈曲部５の屈曲状態を保持するために、部品点数が増加することがない。
【００５９】
また、電線接続部７は、屈曲部５を介して端子箱部３の底壁部１１と連結されているので、端子箱部３の両側壁部１３，１３のいずれか一方に屈曲部５を介して連結されている場合に比較して、構造を簡易化することができ、複雑な加工を施す必要がない。
【００６０】
さらに、屈曲部５の屈曲方向の面は、端子箱部３の端面に当接可能に配置されているので、屈曲部５が屈曲方向にさらに屈曲しようとしても、屈曲部５の屈曲方向の面が端子箱部３の端面と当接することにより、屈曲部の屈曲を規制することができる。
【００６１】
一方、補強部９は、屈曲部５の屈曲方向と反対側の面に当接されるので、屈曲部５が屈曲方向と反対側に屈曲しようとしても、屈曲部５の屈曲方向と反対側の面が補強部９と当接することにより、屈曲部５の屈曲を規制することができる。
【００６２】
また、補強部９は、屈曲部５の屈曲方向と反対側への屈曲を規制すればよいので、補強部９を設ける箇所を削減することができ、接続端子１の大型化を抑制することができる。
【００６３】
さらに、屈曲部５は、展開した状態で、端子箱部３と電線接続部７とを直線的に連結するので、複数の展開された接続端子１が連鎖などによって連結された場合の配置スペースを小型化することができる。
【００６４】
なお、本発明の実施の形態に係る接続端子では、補強部が屈曲部の屈曲方向と反対側の面を当接しているが、これに限らず、屈曲部の屈曲方向の面に当接する補強部を端子箱部に設けてもよい。
【００６５】
また、屈曲部は、展開された状態で、直線状に形成されているが、これに限らず、屈曲部を展開された状態で屈曲させて形成（例えば、図７参照）してもよく、この場合には屈曲部の屈曲形状を保持するように端子箱部に補強部を設ければよい。
【００６６】
さらに、屈曲部は、端子箱部の底壁部や両側壁部に設けられているが、これに限らず、端子箱部の上壁部に屈曲部を設けるなど、屈曲部を設ける位置は端子箱部のどの位置であってもよく、屈曲部が設けられた位置に合わせて補強部を端子箱部に設ければよい。
【００６７】
また、屈曲部は、ほぼ直角に屈曲されているが、これに限らず、屈曲部の屈曲する角度はどのような角度であってもよい。
【符号の説明】
【００６８】
１…接続端子
３…端子箱部
５…屈曲部
７…電線接続部
９…補強部
１１…底壁部
【図１】
2017004841.tif 000003
【図２】
2017004841.tif 000004
【図３】
2017004841.tif 000005
【図４】
2017004841.tif 000006
【図５】
2017004841.tif 000007
【図６】
2017004841.tif 000008
【図７】
2017004841.tif 000009